(57)【要約】  メガネフレームは、２つの側端部（４、５）を含んだフレーム前面部（１）と、２つの伸縮ヒンジ（２０）の連結ピン（１１）で連結された２つの側縁部（２、１５）とを含んでいる。それぞれの伸縮ヒンジは側端部に固定されたフレーム前面部材（２１）と、側縁部（１５）に固定された側縁部材（２２）とを含んでおり、ヒンジの側縁部材（２２）は、フレーム前面部材（２１）に連結され、スプリング（２６）の作用によって鞘部（２５）にスライド式に取り付けられたスライド部（２３）を含むものである。側縁部のヒンジ（２０）のスライド部（２３）が筒状の側縁部（１５）の自由端（２８）にまで延びて鞘部（２５）を提供し、スライド部（２３）の端部（２９）に固定されたスリーブ（３０）は、側縁部の端部（２８）にスライド式に取り付けられており、スプリング（２６）はスリーブ（３０）と協調的に延びている。
2013529796.tif 000002
【特許請求の範囲】
【請求項１】
２つの側端部（４、５）を含んだフレーム前面部（１）と、２つの伸縮ヒンジ（２０）の連結ピン（１１）で連結された２つの側縁部（２、１５）とを含んだメガネフレームであって、それぞれの伸縮ヒンジは側端部に固定されたフレーム前面部材（２１）と、側縁部（１５）に固定された側縁部材（２２）とを含んでおり、ヒンジの側縁部材（２２）は、フレーム前面部材（２１）に連結され、スプリング（２６）の作用によって鞘部（２５）にスライド式に取り付けられたスライド部（２３）を含むものであり、本メガネフレームは、側縁部のヒンジ（２０）のスライド部（２３）が筒状の側縁部（１５）の自由端（２８）にまで延びて鞘部（２５）を提供し、スライド部（２３）の端部（２９）に固定されたスリーブ（３０）は、側縁部の端部（２８）にスライド式に取り付けられており、スプリング（２６）はスリーブ（３０）と協調的に延びていることを特徴とするメガネフレーム。
【請求項２】
側縁部の端部（２８）は開いており、取り外し可能なスリーブ（３０）によってブロックされており、スプリング（２６）は端部（２８）に内蔵されていることを特徴とする請求項１記載のメガネフレーム。
【請求項３】
スライド部（２３）の端部（２９）は外側ネジ溝を有し、スリープ（３０）は内側ネジ溝を有して、スライド部（２３）と螺合していることを特徴とする請求項２記載のメガネフレーム。
【請求項４】
側縁部（１５）内の鞘部（２５）は、側縁部の端部（２８）に拡張部（２７）を含んでおり、拡張部内ではスプリング（２６）が延びており、拡張部はスプリング（２６）が当接する底部（３２）を有していることを特徴とする請求項１から３のいずれかに記載のメガネフレーム。
【発明の詳細な説明】
【技術分野】
【０００１】
本発明の分野はメガネフレームの分野である。
【背景技術】
【０００２】
メガネフレームは、フレーム前面部と、ヒンジによってフレーム前面部の両側端部にそれぞれ連結されている２本の側縁部とを含んでいる。
【０００３】
メガネが開いた形態では側縁部はフレーム前面部が形成する平面から略直角方向にて後方に延びる。
【０００４】
伸縮ヒンジは側縁部を直角以上に開かせる。この“超開動作”によって、メガネフレームがユーザの鼻に掛けられたときに掛け心地の快適性が得られ、フレームや側縁部の損傷または変形が防止される。
【０００５】
メガネフレームの伸縮ヒンジは一般的に側縁部をユーザの側頭部に押し付けるが、同時に超開動作を可能にするスプリングを含む。
【０００６】
一般的に伸縮ヒンジは連結ピンで連結された２つの部材を含む。それら両部材はそれぞれフレーム前面部の側端部に固定されたフレーム前面部材と、側縁部に固定された側縁部材とである。側縁部の核芯部が自身で側縁部を形成しない場合には柄部に固定される。ヒンジは、それが柄部を含む場合でも側縁部に直接的に固定が可能である。その固定は側縁端部である側縁部の端部で機能する。
【０００７】
側縁部に固定された側縁部材は、一方が連結ピンに取り付けられ、他方が、核芯部あるいは側縁部自体に固定された鞘部内に収容されたスライド部を含む。スライド部は、一般的に圧縮スプリングであるスプリングの作用によって鞘部内でスライド可能であり、鞘部内で延びる。
【発明の概要】
【発明が解決しようとする課題】
【０００８】
上述タイプのフレームでは、側縁部のヒンジはスプリングが存在するために比較的に大型で重い。さらに、この事実によって、ヒンジに合わせて側縁部は太くなっている。これら全ては、フレーム前面部においてフレームの重量を増加させる。このことは、レンズの重量を支持するフレーム前面のレンズフレームに提供された鼻掛け部材によって跡印されるユーザの鼻にとっては不快である。
【０００９】
すなわち、本発明が目的とするのはこの問題の解消である。
【課題を解決するための手段】
【００１０】
この目的で、本発明は、２つの側端部を含むフレーム前面部と、２つの伸縮ヒンジの連結ピンの周囲でそれぞれ側端部に連結された２つの側縁部とを含んだメガネフレームを提案する。伸縮ヒンジのそれぞれには、側端部に固定されたフレーム前面部材と、側縁部に固定された側縁部材とが提供されており、ヒンジの側縁部材は、フレーム前面部材に連結され、スプリングの作用によってスライドするように鞘部内に取り付けられたスライド部を有している。このメガネフレームでは、筒状である側縁部のヒンジのスライド部は、その鞘部を形成する側縁部の自由端にまで延びている。スライド部の端部に固定されたスリーブは、スプリングがスリーブと協調的に延びる側縁部の端部にスライド式に取り付けられている。
【００１１】
本発明によって、および、側縁部の自由端のオフセットされているヒンジのスプリングによって、ヒンジのフレーム前面部での重量の一部は、側縁部の端部である後方に移されており、ユーザの鼻に架かる重量は軽減され、快適性を増す。
【００１２】
さらに、好適実施例の場合と同様に、スプリングが提供されている側縁部の端部が開いており、取り外し可能なスリーブによってブロックされていれば、好適には異なる形状の別物と交換するために容易にアクセスできる。
【００１３】
スライド部の端部が外側ネジ溝を有し、内側ネジ溝を有したスリーブがスライド部と螺合できれば有利である。
【００１４】
側縁部の鞘部は、側縁部の端部に、スプリングを延伸させ、スプリングを当接させる底部を有する拡張部を含む。
【図面の簡単な説明】
【００１５】
本発明は、添付の図面を活用した本発明のメガネフレームの好適実施例の以下の説明によってさらに良く理解されるであろう。
【図１】従来のメガネフレームの上方斜視図である。
【図２】透明な本発明のフレームの側縁部を示す。
【図３】図２の側縁部の端部の拡大断面図である。
【図４】図２の側縁部の断面図である。
【発明を実施するための形態】
【００１６】
図１で示す従来技術によるメガネフレームは、普通は光学レンズであるレンズを受領するように構成されたフレーム前面部１と、右側側縁部２および左側側縁部３とを含む。この実施例では、右側側縁部２はフレーム前面部１の後方に折り畳まれており、左側側縁部３はフレーム前面部１の平面と略垂直に後方に開いている。フレーム前面部１の両端はフレーム前面側端部４と５により略直角に曲がっており、側端部４と５には側縁部２と３が２つの伸縮ヒンジ６と７によってそれぞれ連結されている。
【００１７】
伸縮ヒンジ、例えば左側ヒンジ７は、フレーム前面側端部５に固定されたフレーム前面部材８と、側縁部３（あるいは側縁部の核芯部１５）に固定された側縁部材９とを含む。
【００１８】
これら２つのヒンジの部材はフレーム前面部材８に固定された連結ピン１１によって連結されている。
【００１９】
２つの側縁部２と３のヒンジ６と７は同一形態である。
【００２０】
引き続いて本発明のフレームの側縁部を説明する。これ以外は従来の通りである。
【００２１】
これら２つの側縁部は常に同一形態である。
【００２２】
一方の側縁部１５は、その１端で、伸縮ヒンジであるヒンジ２０を介してフレーム前面部の側端部に連結されている。側端部は、側端部に固定されたフレーム前面部材２１を含み、側縁部１５は、側縁部に固定された側縁部材２２を含む。側縁部１５はさらに、連結ピン２４の周囲で、フレーム前面部材２１に連結されており、側縁部１５に形成された鞘部２５内にスライド式に取り付けられたスライド部２３を含む。よって側縁部は筒状である。
【００２３】
スライド部は、鞘部２５の拡張部２７内の側縁部の他端２８である自由端に取り付けられたスプリング２６の作用によって鞘部２５内を移動する。
【００２４】
スライド部２３の端部２９は外側ネジ溝を有し、内側ネジ溝を有したスリーブ３０内に螺合し、装飾プラグ３１でブロックされる側縁部の端部２８のエッジまで延びる鞘部２５と２７をブロックする。
【００２５】
一般的に、側縁部の端部２８は開いており、スリーブ３０によってブロックされている。このスリーブ３０は取り外し可能であり、目的に沿って設計されている適切なスプリング２６を作用力の機能部としてフィットさせる。アクセス可能であるためスプリング２６は交換できる。圧縮スプリングであるスプリング２６は鞘部２５の拡張部２７内に収容され、拡張部の底部３２の両端と、スリーブ３０の内側に面した端面３３に当接する。
【００２６】
閉旋回または超開旋回によって、スライド部２３はヒンジ２０の側に側縁部の自由端２８の方向で鞘部２５の内部に引き込まれる。スライド部が動くとき、スライド部２３は、自身と共にスリーブ３０も引き込む。これで、スプリング２６は圧縮される。
【００２７】
休止状態では、側縁部が閉じているか開いている状態で、スライド部２３がスプリング２６の作用によって他方向にスライドした後に、スプリング２６は弛緩する。
【００２８】
ヒンジの内部に入ったスライド部２３の端部３４はフック形状または穴形形状を有しており、連結ピン２４の周囲で旋回できる。
【図１】
2013529796.tif 000003
【図２】
2013529796.tif 000004
【図３】
2013529796.tif 000005
【図４】
2013529796.tif 000006
【国際調査報告】
2013529796.tif 000007
2013529796.tif 000008
2013529796.tif 000009
2013529796.tif 000010
2013529796.tif 000011
2013529796.tif 000012